(57)【要約】  本発明は、チャネル伝送方法および装置、コンピュータ記憶媒体を開示し、前記方法は、端末が、第１チャネルに対応する伝送時間が第１時刻であることを決定することであって、前記端末によって現在活性化されるＢＷＰが第１ＢＷＰであることと、前記端末が、ネットワーク機器によって送信された第１制御情報を受信することであって、前記第１制御情報は第１指示情報を含み、前記第１指示情報は、活性化されるＢＷＰが第２ＢＷＰであることを指示するために使用されることと、前記第１ＢＷＰおよび前記第２ＢＷＰがプリセットのルールを満たす場合、前記端末が、前記第１時刻に前記第１チャネルを伝送しないこととを含む。
2021518065.tif 000002
【特許請求の範囲】
【請求項１】
チャネル伝送方法であって、
端末が、第１チャネルに対応する伝送時間が第１時刻であることを決定することであって、前記端末によって現在活性化される帯域幅部分（ＢＷＰ）が第１ＢＷＰであることと、
前記端末が、ネットワーク機器によって送信された第１制御情報を受信することであって、前記第１制御情報は第１指示情報を含み、前記第１指示情報は、活性化されるＢＷＰが第２ＢＷＰであることを指示するために使用されることと、
前記第１ＢＷＰおよび前記第２ＢＷＰがプリセットのルールを満たす場合、前記端末が、前記第１時刻に前記第１チャネルを伝送しないこととを含む、前記チャネル伝送方法。
【請求項２】
前記方法は、
前記第１ＢＷＰおよび前記第２ＢＷＰが前記プリセットのルールを満たさない場合、前記端末が、前記第１時刻に前記第１チャネルを伝送することをさらに含む、
請求項１に記載のチャネル伝送方法。
【請求項３】
前記方法は、
前記第１ＢＷＰおよび前記第２ＢＷＰが前記プリセットのルールを満たさない場合、前記端末が、前記第１制御情報を受信した後に、前記第２ＢＷＰを直接に活性化し、前記第１ＢＷＰを非活性化することをさらに含む、
請求項２に記載のチャネル伝送方法。
【請求項４】
前記方法は、
前記第１ＢＷＰおよび前記第２ＢＷＰがプリセットのルールを満たす場合、前記端末が、前記第１制御情報を受信した後に無線周波数再調整を実行して、活性化されたＢＷＰが前記第１ＢＷＰから前記第２ＢＷＰに切り替えられるようにすることをさらに含む、
請求項１ないし３のいずれか一項に記載のチャネル伝送方法。
【請求項５】
前記プリセットのルールは、
前記第１ＢＷＰと前記第２ＢＷＰの中心周波数ポイントが一致しないこと、
前記第１ＢＷＰと前記第２ＢＷＰの帯域幅サイズが一致しないこと、
前記第２ＢＷＰの周波数領域範囲が前記第２ＢＷＰの周波数領域範囲を超えること、
前記端末の無線周波数帯域幅能力で、前記第１ＢＷＰの周波数領域範囲および前記第２ＢＷＰの周波数領域範囲を同時に覆うことができないことのうちの少なくとも１つを含む、
請求項１ないし４のいずれか一項に記載のチャネル伝送方法。
【請求項６】
前記端末が、第１チャネルに対応する伝送時間が第１時刻であることを決定することは、
前記端末が、ネットワーク機器の構成またはスケジューリングに従って、第１チャネルに対応する伝送時間が第１時刻であることを決定することを含む、
請求項１ないし５のいずれか一項に記載のチャネル伝送方法。
【請求項７】
前記端末が、ネットワーク機器によって送信された第１制御情報を受信することは、
前記端末が、前記第１時刻の前の第２時刻にネットワーク機器によって送信された第１制御情報を受信することを含む、
請求項１ないし６のいずれか一項に記載のチャネル伝送方法。
【請求項８】
前記第１チャネルは、物理ダウンリンク制御チャネル（ＰＤＣＣＨ）、または物理ダウンリンク共有チャネル（ＰＤＳＣＨ）、または物理アップリンク制御チャネル（ＰＵＣＣＨ）、または物理アップリンク共有チャネル（ＰＵＳＣＨ）、または物理ランダムアクセスチャネル（ＰＲＡＣＨ）、またはチャネル状態情報参照信号（ＣＳＩ−ＲＳ）、またはサウンディング参照信号（ＳＲＳ）である、
請求項１ないし７のいずれか一項に記載のチャネル伝送方法。
【請求項９】
前記第１制御情報は、ダウンリンク制御情報（ＤＣＩ）または媒体アクセス制御制御要素（ＭＡＣ  ＣＥ）である、
請求項１ないし８のいずれか一項に記載のチャネル伝送方法。
【請求項１０】
チャネル伝送方法であって、
端末が、第１制御情報に基づいて、第１ＢＷＰおよび第２ＢＷＰがプリセットのルールを満たすと決定した場合、第１時刻に第１チャネルを伝送しないように、ネットワーク機器が前記第１制御情報を前記端末に送信することであって、前記端末によって現在活性化されるＢＷＰは前記第１ＢＷＰであり、前記第１制御情報は第１指示情報を含み、前記第１指示情報は、活性化されるＢＷＰが前記第２ＢＷＰであることを指示するために使用されることを含む、前記チャネル伝送方法。
【請求項１１】
前記第１制御情報は、さらに、前記端末が、前記第１制御情報に基づいて、前記第１ＢＷＰおよび前記第２ＢＷＰが前記プリセットのルールを満たさないと決定した場合、前記第１時刻に前記第１チャネルを伝送する、
請求項１０に記載のチャネル伝送方法。
【請求項１２】
前記第１制御情報は、さらに、前記第１ＢＷＰおよび前記第２ＢＷＰが前記プリセットのルールを満たさない場合、前記端末が、前記第１制御情報を受信した後に、前記第２ＢＷＰを直接に活性化し、前記第１ＢＷＰを非活性化するために使用される、
請求項１１に記載のチャネル伝送方法。
【請求項１３】
前記第１制御情報は、さらに、前記第１ＢＷＰおよび前記第２ＢＷＰがプリセットのルールを満たす場合、前記端末が、前記第１制御情報を受信した後に無線周波数再調整を実行して、活性化されたＢＷＰが前記第１ＢＷＰから前記第２ＢＷＰに切り替えられるようにするために使用される、
請求項１０ないし１２のいずれか一項に記載のチャネル伝送方法。
【請求項１４】
前記プリセットのルールは、
前記第１ＢＷＰと前記第２ＢＷＰの中心周波数ポイントが一致しないこと、
前記第１ＢＷＰと前記第２ＢＷＰの帯域幅サイズが一致しないこと、
前記第２ＢＷＰの周波数領域範囲が前記第２ＢＷＰの周波数領域範囲を超えること、
前記端末の無線周波数帯域幅能力で、前記第１ＢＷＰの周波数領域範囲および前記第２ＢＷＰの周波数領域範囲を同時に覆うことができないことのうちの少なくとも１つを含む、
請求項１０ないし１３のいずれか一項に記載のチャネル伝送方法。
【請求項１５】
前記方法は、
前記ネットワーク機器が、前記端末に対して第１チャネルに対応する伝送時間を第１時刻に構成またはスケジューリングすることをさらに含む、
請求項１０ないし１４のいずれか一項に記載のチャネル伝送方法。
【請求項１６】
前記ネットワーク機器が第１制御情報を端末に送信することは、
前記ネットワーク機器が、前記第１時刻の前の第２時刻に前記第１制御情報を前記端末に送信することをさらに含む、
請求項１０ないし１５のいずれか一項に記載のチャネル伝送方法。
【請求項１７】
前記第１チャネルは、ＰＤＣＣＨ、またはＰＤＳＣＨ、またはＰＵＣＣＨ、またはＰＵＳＣＨ、またはＰＲＡＣＨ、またはＣＳＩ−ＲＳ、またはＳＲＳである、
請求項１０ないし１６のいずれか一項に記載のチャネル伝送方法。
【請求項１８】
前記第１制御情報は、ＤＣＩまたはＭＡＣ  ＣＥである、
請求項１０ないし１７のいずれか一項に記載のチャネル伝送方法。
【請求項１９】
チャネル伝送装置であって、
第１チャネルに対応する伝送時間が第１時刻であることを決定するように構成される決定ユニットであって、前記端末によって現在活性化されるＢＷＰが第１ＢＷＰである決定ユニットと、
ネットワーク機器によって送信された第１制御情報を受信するように構成される受信ユニットであって、前記第１制御情報は第１指示情報を含み、前記第１指示情報は、活性化されるＢＷＰが第２ＢＷＰであることを指示するために使用される受信ユニットと、
前記第１ＢＷＰおよび前記第２ＢＷＰがプリセットのルールを満たす場合、前記第１時刻に前記第１チャネルを伝送しないように構成される伝送ユニットとを含む、前記チャネル伝送装置。
【請求項２０】
前記伝送ユニットは、さらに、前記第１ＢＷＰおよび前記第２ＢＷＰが前記プリセットのルールを満たさない場合、前記第１時刻に前記第１チャネルを伝送するように構成される、
請求項１９に記載のチャネル伝送装置。
【請求項２１】
前記装置は、
前記第１ＢＷＰおよび前記第２ＢＷＰが前記プリセットのルールを満たさない場合、前記第１制御情報を受信した後に、前記第２ＢＷＰを直接に活性化し、前記第１ＢＷＰを非活性化するように構成される第１スイッチングユニットをさらに含む、
請求項２０に記載のチャネル伝送装置。
【請求項２２】
前記装置は、
前記第１ＢＷＰおよび前記第２ＢＷＰがプリセットのルールを満たす場合、前記第１制御情報を受信した後に無線周波数再調整を実行して、活性化されたＢＷＰが前記第１ＢＷＰから前記第２ＢＷＰに切り替えられるように構成される第２スイッチングユニットをさらに含む、
請求項１９ないし２１のいずれか一項に記載のチャネル伝送装置。
【請求項２３】
前記プリセットのルールは、
前記第１ＢＷＰと前記第２ＢＷＰの中心周波数ポイントが一致しないこと、
前記第１ＢＷＰと前記第２ＢＷＰの帯域幅サイズが一致しないこと、
前記第２ＢＷＰの周波数領域範囲が前記第２ＢＷＰの周波数領域範囲を超えること、
前記端末の無線周波数帯域幅能力で、前記第１ＢＷＰの周波数領域範囲および前記第２ＢＷＰの周波数領域範囲を同時に覆うことができないことのうちの少なくとも１つを含む、
請求項１９ないし２２のいずれか一項に記載のチャネル伝送装置。
【請求項２４】
前記決定ユニットは、ネットワーク機器の構成またはスケジューリングに従って、第１チャネルに対応する伝送時間が第１時刻であることを決定するように構成される、
請求項１９ないし２３のいずれか一項に記載のチャネル伝送装置。
【請求項２５】
前記受信ユニットは、前記第１時刻の前の第２時刻にネットワーク機器によって送信された第１制御情報を受信するように構成される、
請求項１９ないし２４のいずれか一項に記載のチャネル伝送装置。
【請求項２６】
前記第１チャネルは、ＰＤＣＣＨ、またはＰＤＳＣＨ、またはＰＵＣＣＨ、またはＰＵＳＣＨ、またはＰＲＡＣＨ、またはＣＳＩ−ＲＳ、またはＳＲＳである、
請求項１９ないし２５のいずれか一項に記載のチャネル伝送装置。
【請求項２７】
前記第１制御情報は、ＤＣＩまたはＭＡＣ  ＣＥである、
請求項１９ないし２６のいずれか一項に記載のチャネル伝送装置。
【請求項２８】
チャネル伝送装置であって、
端末が、第１制御情報に基づいて、第１ＢＷＰおよび第２ＢＷＰがプリセットのルールを満たすと決定した場合、第１時刻に第１チャネルを伝送しないように、前記第１制御情報を前記端末に送信するように構成される送信ユニットであって、前記端末によって現在活性化されるＢＷＰは前記第１ＢＷＰであり、前記第１制御情報は第１指示情報を含み、前記第１指示情報は、活性化されるＢＷＰが前記第２ＢＷＰであることを指示するために使用される送信ユニットを含む、前記チャネル伝送装置。
【請求項２９】
前記第１制御情報は、さらに、前記端末が、前記第１制御情報に基づいて、前記第１ＢＷＰおよび前記第２ＢＷＰが前記プリセットのルールを満たさないと決定した場合、前記第１時刻に前記第１チャネルを伝送するために使用される、
請求項２８に記載のチャネル伝送装置。
【請求項３０】
前記第１制御情報は、さらに、前記第１ＢＷＰおよび前記第２ＢＷＰが前記プリセットのルールを満たさない場合、前記端末が、前記第１制御情報を受信した後に、前記第２ＢＷＰを直接に活性化し、前記第１ＢＷＰを非活性化するために使用される、
請求項２９に記載のチャネル伝送装置。
【請求項３１】
前記第１制御情報は、さらに、前記第１ＢＷＰおよび前記第２ＢＷＰがプリセットのルールを満たす場合、前記端末が、前記第１制御情報を受信した後に無線周波数再調整を実行して、活性化されたＢＷＰが前記第１ＢＷＰから前記第２ＢＷＰに切り替えられるようにするために使用される、
請求項２８ないし３０のいずれか一項に記載のチャネル伝送装置。
【請求項３２】
前記プリセットのルールは、
前記第１ＢＷＰと前記第２ＢＷＰの中心周波数ポイントが一致しないこと、
前記第１ＢＷＰと前記第２ＢＷＰの帯域幅サイズが一致しないこと、
前記第２ＢＷＰの周波数領域範囲が前記第２ＢＷＰの周波数領域範囲を超えること、
前記端末の無線周波数帯域幅能力で、前記第１ＢＷＰの周波数領域範囲および前記第２ＢＷＰの周波数領域範囲を同時に覆うことができないことのうちの少なくとも１つを含む、
請求項２８ないし３１のいずれか一項に記載のチャネル伝送装置。
【請求項３３】
前記装置は、
第１チャネルに対応する伝送時間が第１時刻であるように、前記端末を構成またはスケジューリングするように構成される構成ユニットをさらに含む、
請求項２８ないし３２のいずれか一項に記載のチャネル伝送装置。
【請求項３４】
前記送信ユニットは、前記第１時刻の前の第２時刻に前記第１制御情報を前記端末に送信するように構成される、
請求項２８ないし３３のいずれか一項に記載のチャネル伝送装置。
【請求項３５】
前記第１チャネルは、ＰＤＣＣＨ、またはＰＤＳＣＨ、またはＰＵＣＣＨ、またはＰＵＳＣＨ、またはＰＲＡＣＨ、またはＣＳＩ−ＲＳ、またはＳＲＳである、
請求項２８ないし３４のいずれか一項に記載のチャネル伝送装置。
【請求項３６】
前記第１制御情報は、ＤＣＩまたはＭＡＣ  ＣＥである、
請求項２８ないし３５のいずれか一項に記載のチャネル伝送装置。
【請求項３７】
コンピュータ実行可能な命令が記憶されたコンピュータ記憶媒体であって、
前記コンピュータ実行可能な命令がプロセッサによって実行されるときに、請求項１ないし９のいずれか一項に記載の方法のステップ、または請求項１０ないし１８のいずれか一項に記載の方法のステップを実現する、前記コンピュータ記憶媒体。
【発明の詳細な説明】
【技術分野】
【０００１】
本発明は、無線通信の技術分野に関し、特に、チャネル伝送方法および装置、コンピュータ記憶媒体に関する。
【背景技術】
【０００２】
ロングタームエボリューション（ＬＴＥ：Ｌｏｎｇ  Ｔｅｒｍ  Ｅｖｏｌｕｔｉｏｎ）システムにおいて、端末の周波数領域リソースは、システム帯域幅全体から割り当てられる。第５世代（５Ｇ：５ｔｈ  Ｇｅｎｅｒａｔｉｏｎ）ニューラジオ（ＮＲ：Ｎｅｗ  Ｒａｄｉｏ）システムにおいて、システム帯域幅が大幅に改善されるため、端末の伝送帯域幅がシステム帯域幅の一部のみ占有しない。
【０００３】
５Ｇ  ＮＲの現在の研究では、帯域幅部分（ＢＷＰ：Ｂａｎｄ  Ｗｉｄｔｈ  Ｐａｒｔ）の概念を導入することが決定され、システム帯域幅より小さい範囲での周波数領域リソースの割り当てを実現する。基地局は、無線リソース制御（ＲＲＣ：Ｒａｄｉｏ  Ｒｅｓｏｕｒｃｅ  Ｃｏｎｔｒｏｌ）シグナリングを介して複数のＢＷＰを構成することができ、その後、ダウンリンク制御情報（ＤＣＩ：Ｄｏｗｎｌｉｎｋ  Ｃｏｎｔｒｏｌ  Ｉｎｆｏｒｍａｔｉｏｎ）でＢＷＰを動的に活性化する。各タイプのＢＷＰは、パラメータセットに基づき、ここで、パラメータセットには、サブキャリア間隔およびサイクリックプレフィックス（ＣＰ：Ｃｙｃｌｉｃ  Ｐｒｅｆｉｘ）が含まれる。現在の技術案によると、１つの端末に対しては１つのＢＷＰを活性化することができないなめ、新しいＢＷＰが活性化される同時に、元のＢＷＰは非活性化される。
【０００４】
図１に示されたように、ＢＷＰ１が活性化状態である場合、ＢＷＰ２を活性化すると、ＢＷＰ１は非活性化され、ＢＷＰ１を活性化すると、ＢＷＰ２は非活性化され、ＢＷＰ１の期限が切れ（ｔｉｍｅ  ｅｘｐｉｒｅ）ると、デフォルトＢＷＰにフォールバックする。
【０００５】
ＢＷＰの切り替えにより、端末の無線周波数再調整（ＲＦ  ｒｅｔｕｎｉｎｇ）が発生する可能性があるため、端末は、必ず、ＲＦ  ｒｅｔｕｎｉｎｇ完了後のみ、新しいＢＷＰで信号を送信または受信することができる。既存の技術的解決策によれば、ＢＷＰの切り替えの活性化が発生する限り、端末はＲＦ  ｒｅｔｕｎｉｎｇを実行し、ＲＦ  ｒｅｔｕｎｉｎｇ期間中に端末は新しいＢＷＰで信号を送信または受信しないと仮定すると、場合によっては、送受信するべきなデータまたは重要なシグナリングを時間通りに送受信することができず、伝送の信頼性およびスペクトル効率が低下する。
【発明の概要】
【発明が解決しようとする課題】
【０００６】
上記の技術的課題を解決するために、本発明の実施例は、チャネル伝送方法および装置、コンピュータ記憶媒体を提供する。
【課題を解決するための手段】
【０００７】
本発明の実施例で提供されるチャネル伝送方法は、
端末が、第１チャネルに対応する伝送時間が第１時刻であることを決定することであって、前記端末によって現在活性化されるＢＷＰが第１ＢＷＰであることと、
前記端末が、ネットワーク機器によって送信された第１制御情報を受信することであって、前記第１制御情報は第１指示情報を含み、前記第１指示情報は、活性化されるＢＷＰが第２ＢＷＰであることを指示するために使用されることと、
前記第１ＢＷＰおよび前記第２ＢＷＰがプリセットのルールを満たす場合、前記端末が、前記第１時刻に前記第１チャネルを伝送しないこととを含む。
【０００８】
本発明の実施例では、前記方法は、
前記第１ＢＷＰおよび前記第２ＢＷＰが前記プリセットのルールを満たさない場合、前記端末が、前記第１時刻に前記第１チャネルを伝送することをさらに含む。
【０００９】
本発明の実施例では、前記方法は、
前記第１ＢＷＰおよび前記第２ＢＷＰが前記プリセットのルールを満たさない場合、前記端末が、前記第１制御情報を受信した後に、前記第２ＢＷＰを直接に活性化し、前記第１ＢＷＰを非活性化することをさらに含む。
【００１０】
本発明の実施例では、前記方法は、
前記第１ＢＷＰおよび前記第２ＢＷＰがプリセットのルールを満たす場合、前記端末が、前記第１制御情報を受信した後に無線周波数再調整を実行して、活性化されたＢＷＰが前記第１ＢＷＰから前記第２ＢＷＰに切り替えられるようにすることをさらに含む。
【００１１】
本発明の実施例では、前記プリセットのルールは、
前記第１ＢＷＰと前記第２ＢＷＰの中心周波数ポイントが一致しないこと、
前記第１ＢＷＰと前記第２ＢＷＰの帯域幅サイズが一致しないこと、
前記第２ＢＷＰの周波数領域範囲が前記第１ＢＷＰの周波数領域範囲を超えること、
前記端末の無線周波数帯域幅能力で、前記第１ＢＷＰの周波数領域範囲および前記第２ＢＷＰの周波数領域範囲を同時に覆うことができないことのうちの少なくとも１つを含む。
【００１２】
本発明の実施例では、前記端末が、第１チャネルに対応する伝送時間が第１時刻であることを決定することは、
前記端末が、ネットワーク機器の構成またはスケジューリングに従って、第１チャネルに対応する伝送時間が第１時刻であることを決定することを含む。
【００１３】
本発明の実施例では、前記端末が、ネットワーク機器によって送信された第１制御情報を受信することは、
前記端末が、前記第１時刻の前の第２時刻にネットワーク機器によって送信された第１制御情報を受信することを含む。
【００１４】
本発明の実施例では、前記第１チャネルは、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、または物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）、または物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、または物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）、または物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）、またはチャネル状態情報参照信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）、またはサウンディング参照信号（ＳＲＳ：Ｓｏｕｎｄｉｎｇ  Ｒｅｆｅｒｅｎｃｅ  Ｓｉｇｎａｌ）である。
【００１５】
本発明の実施例では、第１制御情報は、ＤＣＩまたは媒体アクセス制御制御要素（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）である。
【００１６】
本発明の実施例で提供されるチャネル伝送方法は、
端末が、第１制御情報に基づいて、第１ＢＷＰおよび第２ＢＷＰがプリセットのルールを満たすと決定した場合、第１時刻に第１チャネルを伝送しないように、ネットワーク機器が前記第１制御情報を前記端末に送信することであって、前記端末によって現在活性化されるＢＷＰは前記第１ＢＷＰであり、前記第１制御情報は第１指示情報を含み、前記第１指示情報は、活性化されるＢＷＰが前記第２ＢＷＰであることを指示するために使用されることを含む。
【００１７】
本発明の実施例では、前記第１制御情報は、さらに、前記端末が、前記第１制御情報に基づいて、前記第１ＢＷＰおよび前記第２ＢＷＰが前記プリセットのルールを満たさないと決定した場合、前記第１時刻に前記第１チャネルを伝送するために使用される。
【００１８】
本発明の実施例では、前記第１制御情報は、さらに、前記第１ＢＷＰおよび前記第２ＢＷＰが前記プリセットのルールを満たさない場合、前記端末が、前記第１制御情報を受信した後に、前記第２ＢＷＰを直接に活性化し、前記第１ＢＷＰを非活性化するために使用される。
【００１９】
本発明の実施例では、前記第１制御情報は、さらに、前記第１ＢＷＰおよび前記第２ＢＷＰがプリセットのルールを満たす場合、前記端末が、前記第１制御情報を受信した後に無線周波数再調整を実行して、活性化されたＢＷＰが前記第１ＢＷＰから前記第２ＢＷＰに切り替えられるようにするために使用される。
【００２０】
本発明の実施例では、前記プリセットのルールは、
前記第１ＢＷＰと前記第２ＢＷＰの中心周波数ポイントが一致しないこと、
前記第１ＢＷＰと前記第２ＢＷＰの帯域幅サイズが一致しないこと、
前記第２ＢＷＰの周波数領域範囲が前記第１ＢＷＰの周波数領域範囲を超えること、
前記端末の無線周波数帯域幅能力で、前記第１ＢＷＰの周波数領域範囲および前記第２ＢＷＰの周波数領域範囲を同時に覆うことができないことのうちの少なくとも１つを含む。
【００２１】
本発明の実施例では、前記方法は、
前記ネットワーク機器が、第１チャネルに対応する伝送時間が第１時刻であるように、前記端末を構成またはスケジューリングすることをさらに含む。
【００２２】
本発明の実施例では、前記ネットワーク機器が第１制御情報を端末に送信することは、
前記ネットワーク機器が、前記第１時刻の前の第２時刻に前記第１制御情報を前記端末に送信することをさらに含む。
【００２３】
本発明の実施例では、前記第１チャネルは、ＰＤＣＣＨ、またはＰＤＳＣＨ、またはＰＵＣＣＨ、またはＰＵＳＣＨ、またはＰＲＡＣＨ、またはＣＳＩ−ＲＳ、またはＳＲＳである。
【００２４】
本発明の実施例では、第１制御情報は、ＤＣＩまたはＭＡＣ  ＣＥである。
【００２５】
本発明の実施例で提供されるチャネル伝送装置は、
第１チャネルに対応する伝送時間が第１時刻であることを決定するように構成される決定ユニットであって、前記端末によって現在活性化されるＢＷＰが第１ＢＷＰである決定ユニットと、
ネットワーク機器によって送信された第１制御情報を受信するように構成される受信ユニットであって、前記第１制御情報は第１指示情報を含み、前記第１指示情報は、活性化されるＢＷＰが第２ＢＷＰであることを指示するために使用される受信ユニットと、
前記第１ＢＷＰおよび前記第２ＢＷＰがプリセットのルールを満たす場合、前記第１時刻に前記第１チャネルを伝送しないように構成される伝送ユニットとを含む。
【００２６】
本発明の実施例では、前記伝送ユニットは、さらに、前記第１ＢＷＰおよび前記第２ＢＷＰが前記プリセットのルールを満たさない場合、前記第１時刻に前記第１チャネルを伝送するように構成される。
【００２７】
本発明の実施例では、前記装置は、
前記第１ＢＷＰおよび前記第２ＢＷＰが前記プリセットのルールを満たさない場合、前記第１制御情報を受信した後に、前記第２ＢＷＰを直接に活性化し、前記第１ＢＷＰを非活性化するように構成される第１スイッチングユニットをさらに含む。
【００２８】
本発明の実施例では、前記装置は、
前記第１ＢＷＰおよび前記第２ＢＷＰがプリセットのルールを満たす場合、前記第１制御情報を受信した後に無線周波数再調整を実行して、活性化されたＢＷＰが前記第１ＢＷＰから前記第２ＢＷＰに切り替えられるように構成される第２スイッチングユニットをさらに含む。
【００２９】
本発明の実施例では、前記プリセットのルールは、
前記第１ＢＷＰと前記第２ＢＷＰの中心周波数ポイントが一致しないこと、
前記第１ＢＷＰと前記第２ＢＷＰの帯域幅サイズが一致しないこと、
前記第２ＢＷＰの周波数領域範囲が前記第１ＢＷＰの周波数領域範囲を超えること、
前記端末の無線周波数帯域幅能力で、前記第１ＢＷＰの周波数領域範囲および前記第２ＢＷＰの周波数領域範囲を同時に覆うことができないことのうちの少なくとも１つを含む。
【００３０】
本発明の実施例では、前記決定ユニットは、ネットワーク機器の構成またはスケジューリングに従って、第１チャネルに対応する伝送時間が第１時刻であることを決定するように構成される。
【００３１】
本発明の実施例では、前記受信ユニットは、前記第１時刻の前の第２時刻にネットワーク機器によって送信された第１制御情報を受信するように構成される。
【００３２】
本発明の実施例では、前記第１チャネルは、ＰＤＣＣＨ、またはＰＤＳＣＨ、またはＰＵＣＣＨ、またはＰＵＳＣＨ、またはＰＲＡＣＨ、またはＣＳＩ−ＲＳ、またはＳＲＳである。
【００３３】
本発明の実施例では、第１制御情報は、ＤＣＩまたはＭＡＣ  ＣＥである。
【００３４】
本発明の実施例で提供されるチャネル伝送装置は、
端末が、第１制御情報に基づいて、第１ＢＷＰおよび第２ＢＷＰがプリセットのルールを満たすと決定した場合、第１時刻に第１チャネルを伝送しないように、前記第１制御情報を前記端末に送信するように構成される送信ユニットであって、前記端末によって現在活性化されるＢＷＰは前記第１ＢＷＰであり、前記第１制御情報は第１指示情報を含み、前記第１指示情報は、活性化されるＢＷＰが前記第２ＢＷＰであることを指示するために使用される送信ユニットを含む。
【００３５】
本発明の実施例では、前記第１制御情報は、さらに、前記端末が、前記第１制御情報に基づいて、前記第１ＢＷＰおよび前記第２ＢＷＰが前記プリセットのルールを満たさないと決定した場合、前記第１時刻に前記第１チャネルを伝送するために使用される。
【００３６】
本発明の実施例では、前記第１制御情報は、さらに、前記第１ＢＷＰおよび前記第２ＢＷＰが前記プリセットのルールを満たさない場合、前記端末が、前記第１制御情報を受信した後に、前記第２ＢＷＰを直接に活性化し、前記第１ＢＷＰを非活性化するために使用される。
【００３７】
本発明の実施例では、前記第１制御情報は、さらに、前記第１ＢＷＰおよび前記第２ＢＷＰがプリセットのルールを満たす場合、前記端末が、前記第１制御情報を受信した後に無線周波数再調整を実行して、活性化されたＢＷＰが前記第１ＢＷＰから前記第２ＢＷＰに切り替えられるようにするために使用される。
【００３８】
本発明の実施例では、前記プリセットのルールは、
前記第１ＢＷＰと前記第２ＢＷＰの中心周波数ポイントが一致しないこと、
前記第１ＢＷＰと前記第２ＢＷＰの帯域幅サイズが一致しないこと、
前記第２ＢＷＰの周波数領域範囲が前記第１ＢＷＰの周波数領域範囲を超えること、
前記端末の無線周波数帯域幅能力で、前記第１ＢＷＰの周波数領域範囲および前記第２ＢＷＰの周波数領域範囲を同時に覆うことができないことのうちの少なくとも１つを含む。
【００３９】
本発明の実施例では、前記装置は、
第１チャネルに対応する伝送時間が第１時刻であるように、前記端末を構成またはスケジューリングするように構成される構成ユニットをさらに含む。
【００４０】
本発明の実施例では、前記送信ユニットは、前記第１時刻の前の第２時刻に前記第１制御情報を前記端末に送信するように構成される。
【００４１】
本発明の実施例では、前記第１チャネルは、ＰＤＣＣＨ、またはＰＤＳＣＨ、またはＰＵＣＣＨ、またはＰＵＳＣＨ、またはＰＲＡＣＨ、またはＣＳＩ−ＲＳ、またはＳＲＳである。
【００４２】
本発明の実施例では、第１制御情報は、ＤＣＩまたはＭＡＣ  ＣＥである。
【００４３】
本発明の実施例で提供されるコンピュータ記憶媒体は、コンピュータ実行可能な命令が記憶され、前記コンピュータ実行可能な命令がプロセッサによって実行されるときに、上記したチャネル伝送方法を実現する。
【００４４】
本発明の実施例の技術案では、端末は、第１チャネルに対応する伝送時間が第１時刻であることを決定し、前記端末によって現在活性化される帯域幅部分（ＢＷＰ）が第１ＢＷＰであり、前記端末は、ネットワーク機器によって送信された第１制御情報を受信し、前記第１制御情報は第１指示情報を含み、前記第１指示情報は、活性化されるＢＷＰが第２ＢＷＰであることを指示するために使用され、前記第１ＢＷＰおよび前記第２ＢＷＰがプリセットのルールを満たす場合、前記端末は、前記第１時刻に前記第１チャネルを伝送しない。本発明の実施例の技術案を採用すると、端末は、第１ＢＷＰから第２ＢＷＰに切り替えられる場合、プリセットのルールに従って端末がＲＦ  ｒｅｔｕｉｎｇを実行する必要があるかどうかを決定し、それにより端末がＢＷＰ切り替えプロセス中に新しいＢＷＰで信号を伝送することができるかを決定することにより、不必要なＢＷＰ切り替え間隔期間を回避し、伝送の信頼性およびスペクトル効率を向上させる。
【図面の簡単な説明】
【００４５】
ここで説明した図面は、更なる理解を提供するために使用され、本出願の一部を構成し、本発明の例示的な実施例およびそれらの説明は、本発明を説明するために使用され、本発明に対して不当た限定を構成しない。
【図１】１つのみのＢＷＰが活性化状態であることができることの概略図である。
【図２】本発明の実施例のチャネル伝送方法の第１例示的なフローチャートである。
【図３】本発明の実施例のチャネル伝送方法の第２例示的なフローチャートである。
【図４】本発明の実施例のＷＰ１およびＢＷＰ２の中心周波数と帯域幅サイズが一致せず、端末がＲＦ  ｒｅｔｕｎｉｎｇを実行してＢＷＰを切り替える必要があることの概略図である。
【図５】本発明の実施例のＢＷＰ１およびＢＷＰ２の中心周波数と帯域幅サイズが一致し、端末がＲＦ  ｒｅｔｕｎｉｎｇを実行してＢＷＰを切り替える必要がないことの概略図である。
【図６】本発明の実施例のＢＷＰ２の周波数範囲がＢＷＰ１の周波数範囲内であり、端末がＲＦ  ｒｅｔｕｎｉｎｇを実行してＢＷＰを切り替える必要がないことの概略図である。
【図７】本発明の実施例のチャネル伝送装置の第１の例示的な構造構成図である。
【図８】本発明の実施例のチャネル伝送装置の第２の例示的な構造構成図である。
【図９】本発明の実施例のコンピュータ機器の例示的な構造構成図である。
【発明を実施するための形態】
【００４６】
本発明の実施例の特徴および技術内容をより詳細に理解するために、以下、図面を参照して本発明の実施例の具現を詳細に説明し、添付の図面は、例示のみを目的として、本発明の実施例を限定することを意図するものではない。
【００４７】
図２は、本発明の実施例のチャネル伝送方法の第１例示的なフローチャートであり、図２に示されたように、前記チャネル伝送方法は、次のステップを含む。
【００４８】
ステップ２０１において、端末は、第１チャネルに対応する伝送時間が第１時刻であることを決定し、前記端末によって現在活性化されるＢＷＰが第１ＢＷＰである。
【００４９】
本発明の実施例では、前記端末は、携帯電話、タブレットコンピュータ、ノートブックコンピュータ、デスクトップコンピュータなどの、ネットワークと通信することができる任意の機器であってもよい。
【００５０】
本発明の実施例では、前記ネットワーク機器は、５ＧシステムのｇＮＢなどの、基地局であってもよい。
【００５１】
一実施形態において、前記端末は、ネットワーク機器の構成またはスケジューリングに従って、第１チャネルに対応する伝送時間が第１時刻であることを決定する。即ち、ネットワーク機器の構成またはスケジューリングに従って、端末は、第１時刻に第１チャネルを伝送するべきである。
【００５２】
ステップ２０２において、前記端末は、ネットワーク機器によって送信された第１制御情報を受信し、前記第１制御情報は第１指示情報を含み、前記第１指示情報は、活性化されるＢＷＰが第２ＢＷＰであることを指示するために使用される。
【００５３】
一実施形態において、前記端末は、前記第１時刻の前の第２時刻にネットワーク機器によって送信された第１制御情報を受信する。例えば、端末は、ｔ１時刻に第１制御情報を受信し、ｔ２時刻（ｔ１時刻より遅い）に第１チャネルを伝送する予定であり、このとき、第１ＢＷＰと第２ＢＷＰの間の切り替え中に無線周波数再調整を実行する必要がある場合、ｔ２時刻に第１チャネルを伝送することができない可能性があり、第１ＢＷＰと第２ＢＷＰの間の切り替え中に無線周波数再調整を実行する必要がない場合、第１制御情報を受信した後に、第２ＢＷＰを直接に使用してメッセージを伝送することができ、この場合、ｔ２時刻に第１チャネルを伝送することができる。
【００５４】
本発明の実施例は、第１チャネルを制限せず、第１チャネルは、任意のタイプのチャネルまたは信号であってもよく、例えば、前記第１チャネルは、ＰＤＣＣＨ、またはＰＤＳＣＨ、またはＰＵＣＣＨ、またはＰＵＳＣＨ、またはＰＲＡＣＨ、またはＣＳＩ−ＲＳ、またはＳＲＳであってもよい。
【００５５】
一実施形態において、前記第１制御情報は、ＤＣＩまたはＭＡＣ  ＣＥである。
【００５６】
ステップ２０３において、前記第１ＢＷＰおよび前記第２ＢＷＰがプリセットのルールを満たす場合、前記端末が、前記第１時刻に前記第１チャネルを伝送しない。
【００５７】
本発明の実施例では、前記第１ＢＷＰおよび前記第２ＢＷＰが前記プリセットのルールを満たさない場合、前記端末が、前記第１時刻に前記第１チャネルを伝送する。
【００５８】
本発明の実施例では、前記プリセットのルールは、
前記第１ＢＷＰと前記第２ＢＷＰの中心周波数ポイントが一致しないこと、
前記第１ＢＷＰと前記第２ＢＷＰの帯域幅サイズが一致しないこと、
前記第２ＢＷＰの周波数領域範囲が前記第１ＢＷＰの周波数領域範囲を超えること、
前記端末の無線周波数帯域幅能力で、前記第１ＢＷＰの周波数領域範囲および前記第２ＢＷＰの周波数領域範囲を同時に覆うことができないことのうちの少なくとも１つを含む。
【００５９】
本発明の実施例では、如果第１ＢＷＰおよび第２ＢＷＰのパラメータセットのみが異なり、中心周波数と帯域幅サイズが一致するか第２ＢＷＰが第１ＢＷＰの周波数領域範囲内である場合、端末はＲＦ  ｒｅｔｕｎｉｎを実行する必要がなく、これに基き、１）前記第１ＢＷＰおよび前記第２ＢＷＰが前記プリセットのルールを満たさない場合、前記端末は、前記第１制御情報を受信した後に、前記第２ＢＷＰを直接に活性化し、前記第１ＢＷＰを非活性化し、２）前記第１ＢＷＰおよび前記第２ＢＷＰがプリセットのルールを満たす場合、前記端末が、前記第１制御情報を受信した後に無線周波数再調整を実行して、活性化されたＢＷＰが前記第１ＢＷＰから前記第２ＢＷＰに切り替えられるようにする。
【００６０】
図３は、本発明の実施例のチャネル伝送方法の第２例示的なフローチャートであり、図３に示されたように、前記チャネル伝送方法は、次のステップを含む。
【００６１】
ステップ３０１において、端末が、第１制御情報に基づいて、第１ＢＷＰおよび第２ＢＷＰがプリセットのルールを満たすと決定した場合、第１時刻に第１チャネルを伝送しないように、ネットワーク機器は前記第１制御情報を前記端末に送信し、前記端末によって現在活性化されるＢＷＰは前記第１ＢＷＰであり、前記第１制御情報は第１指示情報を含み、前記第１指示情報は、活性化されるＢＷＰが前記第２ＢＷＰであることを指示するために使用される。
【００６２】
一実施形態において、前記第１制御情報は、さらに、前記端末が、前記第１制御情報に基づいて、前記第１ＢＷＰおよび前記第２ＢＷＰが前記プリセットのルールを満たさないと決定した場合、前記第１時刻に前記第１チャネルを伝送するために使用される。
【００６３】
一実施形態において、前記第１制御情報は、さらに、前記第１ＢＷＰおよび前記第２ＢＷＰが前記プリセットのルールを満たさない場合、前記端末が、前記第１制御情報を受信した後に、前記第２ＢＷＰを直接に活性化し、前記第１ＢＷＰを非活性化するために使用される。
【００６４】
一実施形態において、前記第１制御情報は、さらに、前記第１ＢＷＰおよび前記第２ＢＷＰがプリセットのルールを満たす場合、前記端末が、前記第１制御情報を受信した後に無線周波数再調整を実行して、活性化されたＢＷＰが前記第１ＢＷＰから前記第２ＢＷＰに切り替えられるようにするために使用される。
【００６５】
一実施形態において、前記プリセットのルールは、
前記第１ＢＷＰと前記第２ＢＷＰの中心周波数ポイントが一致しないこと、
前記第１ＢＷＰと前記第２ＢＷＰの帯域幅サイズが一致しないこと、
前記第２ＢＷＰの周波数領域範囲が前記第１ＢＷＰの周波数領域範囲を超えること、
前記端末の無線周波数帯域幅能力で、前記第１ＢＷＰの周波数領域範囲および前記第２ＢＷＰの周波数領域範囲を同時に覆うことができないことのうちの少なくとも１つを含む。
【００６６】
一実施形態において、前記ネットワーク機器は、第１チャネルに対応する伝送時間が第１時刻であるように、前記端末を構成またはスケジューリングすることをさらに含む。
【００６７】
一実施形態において、前記ネットワーク機器は、前記第１時刻の前の第２時刻に前記第１制御情報を前記端末に送信する。
【００６８】
一実施形態において、前記第１チャネルは、ＰＤＣＣＨ、またはＰＤＳＣＨ、またはＰＵＣＣＨ、またはＰＵＳＣＨ、またはＰＲＡＣＨ、またはＣＳＩ−ＲＳ、またはＳＲＳである。
【００６９】
一実施形態において、前記第１制御情報は、ＤＣＩまたはＭＡＣ  ＣＥである。
【００７０】
以下、具体的な応用例を参照して、本発明の実施例の技術的解決策について説明する。
【００７１】
最初の例として、ＢＷＰ１およびＢＷＰ２の中心周波数と帯域幅サイズが一致せず、端末がＲＦ  ｒｅｔｕｎｉｎｇを実行してＢＷＰを切り替える必要がある。
【００７２】
図４に示されたように、ＢＷＰ１およびＢＷＰ２の中心周波数と帯域幅サイズが一致せず、端末はＢＷＰ２を活性化させるＤＣＩ（第１制御情報）を受信した後に、ＲＦ  ｒｅｔｕｎｉｎｇを実行する必要があり、ＲＦ  ｒｅｔｕｎｉｎｇを完了した後に限りＢＷＰ２を使用し始めすることができ、ＲＦ  ｒｅｔｕｎｉｎｇ期間内に、端末はＢＷＰ２でチャネルを伝送することができない。
【００７３】
２番目の例として、ＢＷＰ１およびＢＷＰ２の中心周波数と帯域幅サイズが一致し、端末がＲＦ  ｒｅｔｕｎｉｎｇを実行してＢＷＰを切り替える必要がない。
【００７４】
図５に示されたように、ＢＷＰ１およびＢＷＰ２の中心周波数と帯域幅サイズが一致し、端末はＲＦ  ｒｅｔｕｎｉｎｇを実行する必要がなく、ＢＷＰ２を活性化させるＤＣＩ（第１制御情報）を受信した後に、すぐＢＷＰ２を使用し始め、第１チャネルを伝送することができる。
【００７５】
本発明の実施例の技術案によれば、端末はＢＷＰ１からＢＷＰ２に切り替えられると、プリセットのルールに従って端末がＲＦ  ｒｅｔｕｉｎｇを実行する必要があるかどうかを決定し、それにより端末がＢＷＰ切り替えプロセス中新しいＢＷＰ（即ち、ＢＷＰ２）内で信号を伝送することができるかを決定することにより、不必要なＢＷＰ切り替え間隔期間を回避し、伝送の信頼性およびスペクトル効率を向上させる。
【００７６】
３番目の例として、ＢＷＰ２の周波数範囲がＢＷＰ１の周波数範囲内であり、端末がＲＦ  ｒｅｔｕｎｉｎｇを実行してＢＷＰを切り替える必要がない。
【００７７】
図６に示されたように、ＢＷＰ２の周波数範囲がＢＷＰ１の周波数範囲内であり、端末はＲＦ  ｒｅｔｕｎｉｎｇを実行する必要がなく、ＢＷＰ２を活性化させるＤＣＩ（第１制御情報）を受信した後に、すぐＢＷＰ２を使用し始め、第１チャネルを伝送することができる。
【００７８】
本発明の実施例の技術案によれば、端末はＢＷＰ１からＢＷＰ２に切り替えられると、プリセットのルールに従って端末がＲＦ  ｒｅｔｕｉｎｇを実行する必要があるかどうかを決定し、それにより端末がＢＷＰ切り替えプロセス中新しいＢＷＰ（即ち、ＢＷＰ２）内で信号を伝送することができるかを決定することにより、不必要なＢＷＰ切り替え間隔期間を回避し、伝送の信頼性およびスペクトル効率を向上させる。
【００７９】
図７は、本発明の実施例のチャネル伝送装置の第１の例示的な構造構成図であり、図７に示されたように、前記チャネル伝送装置は、
第１チャネルに対応する伝送時間が第１時刻であることを決定するように構成される決定ユニット７０１であって、前記端末によって現在活性化されるＢＷＰが第１ＢＷＰである決定ユニット７０１と、
ネットワーク機器によって送信された第１制御情報を受信するように構成される受信ユニット７０２であって、前記第１制御情報は第１指示情報を含み、前記第１指示情報は、活性化されるＢＷＰが第２ＢＷＰであることを指示するために使用される受信ユニット７０２と、
前記第１ＢＷＰおよび前記第２ＢＷＰがプリセットのルールを満たす場合、前記第１時刻に前記第１チャネルを伝送しないように構成される伝送ユニット７０３とを含む。
【００８０】
一実施形態において、前記伝送ユニット７０３は、さらに、前記第１ＢＷＰおよび前記第２ＢＷＰが前記プリセットのルールを満たさない場合、前記第１時刻に前記第１チャネルを伝送するように構成される。
【００８１】
一実施形態において、前記装置は、
前記第１ＢＷＰおよび前記第２ＢＷＰが前記プリセットのルールを満たさない場合、前記第１制御情報を受信した後に、前記第２ＢＷＰを直接に活性化し、前記第１ＢＷＰを非活性化するように構成される第１スイッチングユニット７０４をさらに含む。
【００８２】
一実施形態において、前記装置は、
前記第１ＢＷＰおよび前記第２ＢＷＰがプリセットのルールを満たす場合、前記第１制御情報を受信した後に無線周波数再調整を実行して、活性化されたＢＷＰが前記第１ＢＷＰから前記第２ＢＷＰに切り替えられるように構成される第２スイッチングユニット７０５をさらに含む。
【００８３】
一実施形態において、前記プリセットのルールは、
前記第１ＢＷＰと前記第２ＢＷＰの中心周波数ポイントが一致しないこと、
前記第１ＢＷＰと前記第２ＢＷＰの帯域幅サイズが一致しないこと、
前記第２ＢＷＰの周波数領域範囲が前記第１ＢＷＰの周波数領域範囲を超えること、
前記端末の無線周波数帯域幅能力で、前記第１ＢＷＰの周波数領域範囲および前記第２ＢＷＰの周波数領域範囲を同時に覆うことができないことのうちの少なくとも１つを含む。
【００８４】
一実施形態において、前記決定ユニット７０１は、ネットワーク機器の構成またはスケジューリングに従って、第１チャネルに対応する伝送時間が第１時刻であることを決定するように構成される。
【００８５】
一実施形態において、前記受信ユニット７０２は、前記第１時刻の前の第２時刻にネットワーク機器によって送信された第１制御情報を受信するように構成される。
【００８６】
一実施形態において、前記第１チャネルは、ＰＤＣＣＨ、またはＰＤＳＣＨ、またはＰＵＣＣＨ、またはＰＵＳＣＨ、またはＰＲＡＣＨ、またはＣＳＩ−ＲＳ、またはＳＲＳである。
【００８７】
一実施形態において、前記第１制御情報は、ＤＣＩまたはＭＡＣ  ＣＥである。
【００８８】
当業者は、図８に示されるチャネル伝送装置の各ユニットによって実現される機能は、前述のチャネル伝送方法に関する説明を参照することによって理解され得ることを理解されたい。図７に示されるチャネル伝送装置の各ユニットの機能は、プロセッサで実行されるプログラムによって実現されてもよいし、特定の論理回路によって実現されてもよい。
【００８９】
図８は、本発明の実施例のチャネル伝送装置の第２の例示的な構造構成図であり、図８に示されたように、前記チャネル伝送装置は、
端末が、第１制御情報に基づいて、第１ＢＷＰおよび第２ＢＷＰがプリセットのルールを満たすと決定した場合、第１時刻に第１チャネルを伝送しないように、前記第１制御情報を前記端末に送信するように構成される送信ユニット８０１であって、前記端末によって現在活性化されるＢＷＰは前記第１ＢＷＰであり、前記第１制御情報は第１指示情報を含み、前記第１指示情報は、活性化されるＢＷＰが前記第２ＢＷＰであることを指示するために使用される送信ユニット８０１を含む。
【００９０】
一実施形態において、前記第１制御情報は、さらに、前記端末が、前記第１制御情報に基づいて、前記第１ＢＷＰおよび前記第２ＢＷＰが前記プリセットのルールを満たさないと決定した場合、前記第１時刻に前記第１チャネルを伝送するために使用される。
【００９１】
一実施形態において、前記第１制御情報は、さらに、前記第１ＢＷＰおよび前記第２ＢＷＰが前記プリセットのルールを満たさない場合、前記端末が、前記第１制御情報を受信した後に、前記第２ＢＷＰを直接に活性化し、前記第１ＢＷＰを非活性化するために使用される。
【００９２】
一実施形態において、前記第１制御情報は、さらに、前記第１ＢＷＰおよび前記第２ＢＷＰがプリセットのルールを満たす場合、前記端末が、前記第１制御情報を受信した後に無線周波数再調整を実行して、活性化されたＢＷＰが前記第１ＢＷＰから前記第２ＢＷＰに切り替えられるようにするために使用される。
【００９３】
一実施形態において、前記プリセットのルールは、
前記第１ＢＷＰと前記第２ＢＷＰの中心周波数ポイントが一致しないこと、
前記第１ＢＷＰと前記第２ＢＷＰの帯域幅サイズが一致しないこと、
前記第２ＢＷＰの周波数領域範囲が前記第１ＢＷＰの周波数領域範囲を超えること、
前記端末の無線周波数帯域幅能力で、前記第１ＢＷＰの周波数領域範囲および前記第２ＢＷＰの周波数領域範囲を同時に覆うことができないことのうちの少なくとも１つを含む。
【００９４】
一実施形態において、前記装置は、
第１チャネルに対応する伝送時間が第１時刻であるように、前記端末を構成またはスケジューリングするように構成される構成ユニット８０２をさらに含む。
【００９５】
一実施形態において、前記送信ユニット８０１は、前記第１時刻の前の第２時刻に前記第１制御情報を前記端末に送信するように構成される。
【００９６】
一実施形態において、前記第１チャネルは、ＰＤＣＣＨ、またはＰＤＳＣＨ、またはＰＵＣＣＨ、またはＰＵＳＣＨ、またはＰＲＡＣＨ、またはＣＳＩ−ＲＳ、またはＳＲＳである。
【００９７】
一実施形態において、前記第１制御情報は、ＤＣＩまたはＭＡＣ  ＣＥである。
【００９８】
当業者は、図８に示されるチャネル伝送装置の各ユニットによって実現される機能は、前述のチャネル伝送方法に関する説明を参照することによって理解され得ることを理解されたい。図８に示されるチャネル伝送装置の各ユニットの機能は、プロセッサで実行されるプログラムによって実現されてもよいし、特定の論理回路によって実現されてもよい。
【００９９】
本発明の実施例で上記したチャネル伝送装置がソフトウェア機能モジュールの形で実現され、スタンドアロン製品として販売または使用される場合、コンピュータ読み取り可能な記憶媒体に記憶されてもよい。このような理解に基づいて、本発明の実施例の技術的解決策は、本質的に、または既存の技術に貢献する部分は、ソフトウェア製品の形で具現されることができ、当該コンピュータソフトウェア製品は、１つの記憶媒体に記憶されて、一台のコンピュータ機器（パーソナルコンピュータ、サーバ、またはネットワーク機器などであリ得る）が本発明の各実施例に記載の方法の全部または一部を実行するようにするためのいくつかの命令を含む。上記した記憶媒体は、Ｕディスク、モバイルハードディスク、読み取り専用メモリ（ＲＯＭ：Ｒｅａｄ  Ｏｎｌｙ  Ｍｅｍｏｒｙ）、磁気ディスクまたは光ディスクなどのプログラムコードを記憶することができる様々なメディアを含む。こうして、本発明の実施例は、いずれかのハードウェアおよびソフトウェアの特定の組み合わせに限定されない。
【０１００】
対応的に、本発明の実施例は、コンピュータ実行可能な命令を記憶したコンピュータ記憶媒体をさらに提供し、前記コンピュータ実行可能な命令がプロセッサによって実行されるときに、本発明の実施例のチャネル伝送方法を実現する。
【０１０１】
図９は、本発明の実施例のコンピュータ機器の例示的な構造構成図であり、前記コンピュータ機器は、端末であってもよく、ネットワーク機器であってもよい。図９に示されるように、コンピュータ機器１００は、１つまたは複数（図では１つだけが示される）のプロセッサ１００２（プロセッサ１００２は、マイクロコントローラユニット（ＭＣＵ：Ｍｉｃｒｏ  Ｃｏｎｔｒｏｌｌｅｒ  Ｕｎｉｔ）またはフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）などの処理装置を含むことができるが、これらに限定されない）、データを記憶するためのメモリ１００４、および通信機能のための伝送機器１００６を含むことができる。当業者は、図９に示される構造が単なる例示であって、前述の電子装置の構造を限定しないことを理解することができる。例えば、コンピュータ機器１００は、図９に示すものよりも多いまたは少ないコンポーネントを含み得るか、または図９に示すものとは異なる構成を有し得る。
【０１０２】
メモリ１００４は、本発明の実施例における方法に対応するプログラム命令／モジュールなどのアプリケーションプログラムのソフトウェアプログラムおよびモジュールを記憶するように構成されることができ、プロセッサ１００２は、メモリ１００４に記憶されたソフトウェアプログラムおよびモジュールを実行することにより、様々な機能アプリケーションおよびデータ処理を実行し、即ち、上記の方法を実現する。メモリ１００４は、高速ランダムアクセスメモリを含むことができ、１つまたは複数の磁気記憶装置、フラッシュメモリ、または他の不揮発性ソリッドステートメモリなどの不揮発性メモリをさらに含むことができる。一実施形態において、メモリ１００４は、プロセッサ１００２に対してリモートで設置されたメモリをさらに含むことができ、これらのリモートメモリは、ネットワークを介してコンピュータ機器１００に接続されることができる。上記したネットワークの例は、インターネット、イントラネット、ローカルエリアネットワーク、モバイル通信ネットワーク、およびそれらの組み合わせを含むが、これらに限定されない。
【０１０３】
伝送装置１００６は、１つのネットワークを介してデータを受信または送信するために使用される。上記したネットワークの具体的な例は、コンピュータ機器１００の通信事業者が提供する無線ネットワークを含むことができる。一例において、伝送装置１００６は、基地局を介して他のネットワーク機器と接続してインターネットと通信することができるネットワークインターフェースコントローラ（ＮＩＣ：Ｎｅｔｗｏｒｋ  Ｉｎｔｅｒｆａｃｅ  Ｃｏｎｔｒｏｌｌｅｒ）を含む。一例において、伝送装置１００６は、無線方式を介してインターネットと通信するために使用される無線周波数（ＲＦ：Ｒａｄｉｏ  Ｆｒｅｑｕｅｎｃｙ）モジュールであり得る。
【０１０４】
本発明の実施例で説明された技術的解決策は、競合しない場合、任意に組み合わせることができる。
【０１０５】
本発明によって提供されるいくつかの実施例では、開示された方法およびスマート機器は、他の方法で実現され得ることを理解されたい。上記で説明された機器の実施例は単なる例示的であり、例えば、前記ユニットの分割は論理的な機能の分割に過ぎない。実際の実現では、例えば、複数のユニットまたはコンポーネントを組み合わせたり、別のシステムに統合したり、一部の特徴を無視したり、実行しないなど、別の分割方法があることができる。なお、表示または議論される各構成要素間の相互結合または直接結合または通信接続は、いくつかのインターフェース、機器またはユニットを介した間接な結合または通信接続であり得、電気的、機械的または他の形態であり得る。
【０１０６】
上記の分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もあり、実際の必要に応じて、その一部またはすべてのユニットを選択して、本実施例の技術案の目的を具現することができる。
【０１０７】
なお、本発明の各実施例における各機能ユニットは、全部１つの第２処理ユニットに統合してもよく、各ユニットを別々に１つのユニットとして使用してもよく、２つ以上のユニットを１つのユニットに統合してもよい。上記の統合されたユニットは、ハードウェアの形態で、またはハードウェアおよびソフトウェア機能ユニットの形態で具現することができる。
【０１０８】
上記した内容は、本発明の具体的な実施形態に過ぎないが、本発明の保護範囲はこれに限定されず、当業者は、本発明に開示された技術的範囲内で容易に想到し得る変更または置換は、すべて本発明の保護範囲内に含まれるべきである。
【図１】
2021518065.tif 000003
【図２】
2021518065.tif 000004
【図３】
2021518065.tif 000005
【図４】
2021518065.tif 000006
【図５】
2021518065.tif 000007
【図６】
2021518065.tif 000008
【図７】
2021518065.tif 000009
【図８】
2021518065.tif 000010
【図９】
2021518065.tif 000011
【手続補正書】
【提出日】令和3年1月21日(2021.1.21)
【手続補正１】
【補正対象書類名】特許請求の範囲
【補正対象項目名】全文
【補正方法】変更
【補正の内容】
【特許請求の範囲】
【請求項１】
チャネル伝送方法であって、
端末が、第１チャネルに対応する伝送時間が第１時刻であることを決定することであって、前記端末によって現在活性化される帯域幅部分（ＢＷＰ）が第１ＢＷＰであることと、
前記端末が、ネットワーク機器によって送信された第１制御情報を受信することであって、前記第１制御情報は第１指示情報を含み、前記第１指示情報は、活性化されるＢＷＰが第２ＢＷＰであることを指示するために使用されることと、
前記第１ＢＷＰおよび前記第２ＢＷＰがプリセットのルールを満たす場合、前記端末が、前記第１時刻に前記第１チャネルを伝送しないこととを含む、前記チャネル伝送方法。
【請求項２】
前記方法は、
前記第１ＢＷＰおよび前記第２ＢＷＰが前記プリセットのルールを満たさない場合、前記端末が、前記第１時刻に前記第１チャネルを伝送することをさらに含む、
請求項１に記載のチャネル伝送方法。
【請求項３】
前記方法は、
前記第１ＢＷＰおよび前記第２ＢＷＰが前記プリセットのルールを満たさない場合、前記端末が、前記第１制御情報を受信した後に、前記第２ＢＷＰを直接に活性化し、前記第１ＢＷＰを非活性化することをさらに含む、
請求項２に記載のチャネル伝送方法。
【請求項４】
前記方法は、
前記第１ＢＷＰおよび前記第２ＢＷＰがプリセットのルールを満たす場合、前記端末が、前記第１制御情報を受信した後に無線周波数再調整を実行して、活性化されたＢＷＰが前記第１ＢＷＰから前記第２ＢＷＰに切り替えられるようにすることをさらに含む、
請求項１ないし３のいずれか一項に記載のチャネル伝送方法。
【請求項５】
前記プリセットのルールは、
前記第１ＢＷＰと前記第２ＢＷＰの中心周波数ポイントが一致しないこと、
前記第１ＢＷＰと前記第２ＢＷＰの帯域幅サイズが一致しないこと、
前記第２ＢＷＰの周波数領域範囲が前記第１ＢＷＰの周波数領域範囲を超えること、
前記端末の無線周波数帯域幅能力で、前記第１ＢＷＰの周波数領域範囲および前記第２ＢＷＰの周波数領域範囲を同時に覆うことができないことのうちの少なくとも１つを含む、
請求項１ないし４のいずれか一項に記載のチャネル伝送方法。
【請求項６】
前記端末が、第１チャネルに対応する伝送時間が第１時刻であることを決定することは、
前記端末が、ネットワーク機器の構成またはスケジューリングに従って、第１チャネルに対応する伝送時間が第１時刻であることを決定することを含む、
請求項１ないし５のいずれか一項に記載のチャネル伝送方法。
【請求項７】
前記端末が、ネットワーク機器によって送信された第１制御情報を受信することは、
前記端末が、前記第１時刻の前の第２時刻にネットワーク機器によって送信された第１制御情報を受信することを含む、
請求項１ないし６のいずれか一項に記載のチャネル伝送方法。
【請求項８】
前記第１チャネルは、物理ダウンリンク制御チャネル（ＰＤＣＣＨ）、または物理ダウンリンク共有チャネル（ＰＤＳＣＨ）、または物理アップリンク制御チャネル（ＰＵＣＣＨ）、または物理アップリンク共有チャネル（ＰＵＳＣＨ）、または物理ランダムアクセスチャネル（ＰＲＡＣＨ）、またはチャネル状態情報参照信号（ＣＳＩ−ＲＳ）、またはサウンディング参照信号（ＳＲＳ）である、
請求項１ないし７のいずれか一項に記載のチャネル伝送方法。
【請求項９】
前記第１制御情報は、ダウンリンク制御情報（ＤＣＩ）または媒体アクセス制御制御要素（ＭＡＣ  ＣＥ）である、
請求項１ないし８のいずれか一項に記載のチャネル伝送方法。
【請求項１０】
チャネル伝送方法であって、
端末が、第１制御情報に基づいて、第１ＢＷＰおよび第２ＢＷＰがプリセットのルールを満たすと決定した場合、第１時刻に第１チャネルを伝送しないように、ネットワーク機器が前記第１制御情報を前記端末に送信することであって、前記端末によって現在活性化されるＢＷＰは前記第１ＢＷＰであり、前記第１制御情報は第１指示情報を含み、前記第１指示情報は、活性化されるＢＷＰが前記第２ＢＷＰであることを指示するために使用されることを含む、前記チャネル伝送方法。
【請求項１１】
前記プリセットのルールは、
前記第１ＢＷＰと前記第２ＢＷＰの中心周波数ポイントが一致しないこと、
前記第１ＢＷＰと前記第２ＢＷＰの帯域幅サイズが一致しないこと、
前記第２ＢＷＰの周波数領域範囲が前記第１ＢＷＰの周波数領域範囲を超えること、
前記端末の無線周波数帯域幅能力で、前記第１ＢＷＰの周波数領域範囲および前記第２ＢＷＰの周波数領域範囲を同時に覆うことができないことのうちの少なくとも１つを含む、
請求項１０に記載のチャネル伝送方法。
【請求項１２】
前記方法は、
前記ネットワーク機器が、前記端末に対して第１チャネルに対応する伝送時間を第１時刻に構成またはスケジューリングすることをさらに含む、
請求項１０または１１に記載のチャネル伝送方法。
【請求項１３】
前記ネットワーク機器が第１制御情報を端末に送信することは、
前記ネットワーク機器が、前記第１時刻の前の第２時刻に前記第１制御情報を前記端末に送信することをさらに含む、
請求項１０ないし１２のいずれか一項に記載のチャネル伝送方法。
【請求項１４】
チャネル伝送装置であって、
プロセッサと、
プロセッサによって実行可能なコンピュータプログラムを格納するためのメモリと、
伝送装置とを備え、
前記プロセッサは、請求項１ないし９のいずれか一項に記載の方法を実行するためにコンピュータプログラムを実行するように構成される、前記チャネル伝送装置。
【請求項１５】
チャネル伝送装置であって、
プロセッサと、
プロセッサによって実行可能なコンピュータプログラムを格納するためのメモリと、
伝送装置とを備え、
前記プロセッサは、請求項１０ないし１３のいずれか一項に記載の方法を実行するためにコンピュータプログラムを実行するように構成される、前記チャネル伝送装置。
【国際調査報告】
2021518065.tif 000012
2021518065.tif 000013
2021518065.tif 000014
2021518065.tif 000015